(57)【特許請求の範囲】
【請求項１】
無線通信ネットワークにおける無線送信を制御する方法であって、前記方法は、
前記無線通信ネットワークのノード（１５０；１６０；８００；１１００）が、前記無線通信ネットワークへの無線デバイス（１０）のデュアルコネクティビティを制御することであって、前記デュアルコネクティビティが第１の無線技術と第２の無線技術とに基づく、デュアルコネクティビティを制御することと、
前記無線デバイス（１０）に関連するサブスクリプションデータに依存して、前記ノード（１５０；１６０；８００；１１００）が、前記第１の無線技術および前記第２の無線技術のうちの１つのための前記無線デバイス（１０）の無線送信のスケジューリングの制限を制御することと
を含み、
スケジューリングの前記制限が、ユーザプレーンデータをもつ無線送信のスケジューリングを阻止する、
方法。
【請求項２】
スケジューリングの前記制限が、ユーザプレーンデータをもつ無線送信のスケジューリングを阻止するが、制御プレーンデータをもつ無線送信のスケジューリングを承認する、
請求項１に記載の方法。
【請求項３】
前記制御プレーンデータが、前記無線デバイス（１０）のモビリティ管理に関係する、
請求項２に記載の方法。
【請求項４】
前記制御プレーンデータが、前記無線通信ネットワークにおける前記無線デバイス（１０）の登録に関係する、
請求項２または３に記載の方法。
【請求項５】
前記第１の無線技術および前記第２の無線技術のうちの１つが許可されないことを前記サブスクリプションデータが指示したことに応答して、前記ノード（１５０；１６０；８００；１１００）が、この無線技術のためのスケジューリングの前記制限をアクティブ化すること、または、
前記第１の無線技術および前記第２の無線技術のうちの１つが許可されることを前記サブスクリプションデータが指示したことに応答して、前記ノード（１５０；１６０；８００；１１００）が、この無線技術のためのスケジューリングの前記制限を非アクティブ化すること
を含む、請求項１から４のいずれか一項に記載の方法。
【請求項６】
前記ノードが、前記無線デバイス（１０）の無線送信の前記スケジューリングを担当するアクセスノード（１１０、１２０；１０００；１２００）に制御情報を送ることによって、スケジューリングの前記制限を制御する、
請求項１から５のいずれか一項に記載の方法。
【請求項７】
前記制限の前記制御が、さらに、前記無線通信ネットワークのカバレッジエリア内の前記無線デバイス（１０）のロケーションに依存する、
請求項１から６のいずれか一項に記載の方法。
【請求項８】
前記ノード（１５０；１６０；８００；１１００）が、サブスクライバデータベース（１８０；１９０）から前記サブスクリプションデータを受信する、
請求項１から７のいずれか一項に記載の方法。
【請求項９】
前記ノード（１５０；１６０；８００；１１００）が、前記無線通信ネットワークへの前記無線デバイス（１０）のアクセス、および／または前記無線通信ネットワークにおける前記無線デバイス（１０）のモビリティを管理することを担当する、
請求項１から８のいずれか一項に記載の方法。
【請求項１０】
前記第１の無線技術がＬｏｎｇ  Ｔｅｒｍ  Ｅｖｏｌｕｔｉｏｎ技術であり、前記第２の無線技術が新しい無線技術（ＮＲ）である、
請求項１から９のいずれか一項に記載の方法。
【請求項１１】
無線通信ネットワークにおける無線送信を制御する方法であって、前記方法は、
第１の無線技術および第２の無線技術のうちの少なくとも１つのために、前記無線通信ネットワークのアクセスノード（１１０、１２０；１０００；１２００）が、前記第１の無線技術と前記第２の無線技術とに基づくデュアルコネクティビティを有する無線デバイス（１０）の無線送信をスケジュールすることと、
前記アクセスノード（１１０、１２０；１０００；１２００）が、制御情報を受信することと、
前記制御情報に依存して、前記アクセスノード（１１０、１２０；１０００；１２００）が、前記第１の無線技術および前記第２の無線技術のうちの１つのための前記無線デバイス（１０）の無線送信のスケジューリングの制限を制御することと
を含み、
スケジューリングの前記制限が、ユーザプレーンデータをもつ無線送信のスケジューリングを阻止する、
方法。
【請求項１２】
スケジューリングの前記制限が、ユーザプレーンデータをもつ無線送信のスケジューリングを阻止するが、制御プレーンデータをもつ無線送信のスケジューリングを承認する、
請求項１１に記載の方法。
【請求項１３】
前記制御プレーンデータが、前記無線デバイス（１０）のモビリティ管理に関係する、または、
前記制御プレーンデータが、前記無線通信ネットワークにおける前記無線デバイス（１０）の登録に関係する、
請求項１２に記載の方法。
【請求項１４】
前記第１の無線技術および前記第２の無線技術のうちの１つが許可されないことを前記制御情報が指示したことに応答して、前記アクセスノード（１１０、１２０；１０００；１２００）が、この無線技術のためのスケジューリングの前記制限をアクティブ化すること、または、
前記第１の無線技術および前記第２の無線技術のうちの１つが許可されることを前記制御情報が指示したことに応答して、前記アクセスノード（１１０、１２０；１０００；１２００）が、この無線技術のためのスケジューリングの前記制限を非アクティブ化すること
を含む、請求項１１から１３のいずれか一項に記載の方法。
【請求項１５】
前記アクセスノード（１１０、１２０；１０００；１２００）が、ノード（１５０；１６０；８００；１１００）から前記制御情報を受信し、前記ノード（１５０；１６０；８００；１１００）が、前記無線通信ネットワークへの前記無線デバイス（１０）のアクセス、および／または前記無線通信ネットワークにおける前記無線デバイス（１０）のモビリティを管理することを担当する、
請求項１１から１４のいずれか一項に記載の方法。
【請求項１６】
前記制御情報が、前記無線通信ネットワークのカバレッジエリア内の前記無線デバイス（１０）のロケーションに依存する、
請求項１１から１５のいずれか一項に記載の方法。
【請求項１７】
前記第１の無線技術がＬｏｎｇ  Ｔｅｒｍ  Ｅｖｏｌｕｔｉｏｎ技術であり、前記第２の無線技術が新しい無線技術（ＮＲ）である、
請求項１１から１６のいずれか一項に記載の方法。
【請求項１８】
無線通信ネットワークのためのノード（１５０；１６０；８００；１１００）であって、前記ノード（１５０；１６０；８００；１１００）は、
−  前記無線通信ネットワークへの無線デバイス（１０）のデュアルコネクティビティを制御することであって、前記デュアルコネクティビティが第１の無線技術と第２の無線技術とに基づく、デュアルコネクティビティを制御することと、
−  前記無線デバイス（１０）に関連するサブスクリプションデータに依存して、前記第１の無線技術および前記第２の無線技術のうちの１つのための前記無線デバイス（１０）の無線送信のスケジューリングの制限を制御することと
を行うように設定され、
スケジューリングの前記制限が、ユーザプレーンデータをもつ無線送信のスケジューリングを阻止する、
ノード（１５０；１６０；８００；１１００）。
【請求項１９】
スケジューリングの前記制限が、ユーザプレーンデータをもつ無線送信のスケジューリングを阻止するが、制御プレーンデータをもつ無線送信のスケジューリングを承認する、
請求項１８に記載のノード（１５０；１６０；８００；１１００）。
【請求項２０】
前記ノード（１５０；１６０；８００；１１００）が、請求項１から１０のいずれか一項に記載の方法のステップを実施するように設定された、
請求項１９に記載のノード（１５０；１６０；８００；１１００）。
【請求項２１】
前記ノード（１５０；１６０；８００；１１００）が、請求項１から１０のいずれか一項に記載の方法のステップを実施するように設定された少なくとも１つのプロセッサ（１１５０）を備える、
請求項１９に記載のノード（１５０；１６０；８００；１１００）。
【請求項２２】
無線通信ネットワークのためのアクセスノード（１１０、１２０；１０００；１２００）であって、前記アクセスノード（１１０、１２０；１０００；１２００）は、
−  第１の無線技術および第２の無線技術のうちの少なくとも１つのために、前記第１の無線技術と前記第２の無線技術とに基づくデュアルコネクティビティを有する無線デバイス（１０）の無線送信をスケジュールすることと、
−  制御情報を受信することと、
−  前記制御情報に依存して、前記第１の無線技術および前記第２の無線技術のうちの１つのための前記無線デバイス（１０）の無線送信のスケジューリングの制限を制御することと
を行うように設定され、
スケジューリングの前記制限が、ユーザプレーンデータをもつ無線送信のスケジューリングを阻止する、
アクセスノード（１１０、１２０；１０００；１２００）。
【請求項２３】
前記アクセスノード（１１０、１２０；１０００；１２００）が、請求項１１から１７のいずれか一項に記載の方法のステップを実施するように設定された少なくとも１つのプロセッサ（１２５０）を備える、
請求項２２に記載のアクセスノード（１１０、１２０；１０００；１２００）。
【請求項２４】
無線通信ネットワークのノード（１１０；１２０；１５０；１５０；１６０；８００；１０００；１１００；１２００）の少なくとも１つのプロセッサ（１１５０；１２５０）によって実行されることになるプログラムコードを備えるコンピュータプログラムであって、前記プログラムコードの実行が、前記ノード（１１０；１２０；１５０；１５０；１６０；８００；１０００；１１００；１２００）に、請求項１から１７のいずれか一項に記載の方法のステップを実施させる、コンピュータプログラム。
【発明の詳細な説明】
【技術分野】
【０００１】
本発明は、無線通信ネットワークにおける無線送信を制御するための方法、デバイス、およびシステムに関する。
【背景技術】
【０００２】
無線通信ネットワークでは、無線通信ネットワークへの、以下において「ＵＥ」（ユーザ機器）とも呼ばれる無線デバイスのアクセスを提供するために、複数の無線技術が使用され得る。そのような無線技術の例は、ＧＳＭ（モバイル通信用グローバルシステム）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、および３ＧＰＰ（第３世代パートナーシッププロジェクト）によって指定されたＬＴＥ（Ｌｏｎｇ  Ｔｅｒｍ  Ｅｖｏｌｕｔｉｏｎ）技術である。さらなる例は、３ＧＰＰによって現在開発されているＮＲ（新しい無線）技術である。各無線技術は、一般にＲＡＮ（無線アクセスネットワーク）部分とＣＮ（コアネットワーク）部分とを含む、各無線技術自体のネットワークアーキテクチャを規定する。ＬＴＥ技術の場合、ＣＮは、ＥＰＣ（エボルブドパケットコア）と呼ばれる。ＬＴＥ技術の場合、ＣＮは、ＮＧＣＮ（次世代ＣＮ）または５ＧＣＮ（第５世代ＣＮ）とも呼ばれる。
【０００３】
ＬＴＥ技術からＮＲ技術に移行するために、たとえば、３ＧＰＰ  ＴＳ  ２３．５０１  Ｖ０．１．１（２０１７−０１）のセクション５．１７．１において説明されているように、５Ｇ（第５世代）ＣＮと一緒のＬＴＥ  ＲＡＴ（無線アクセス技術）の使用またはＥＰＣと一緒のＮＲ  ＲＡＴの使用を許可することが論じられている。いくつかの場合には、ＬＴＥ  ＲＡＴおよびＮＲ  ＲＡＴはまた、ＥＰＣまたは５Ｇ  ＣＮを介したアクセスのために併行して使用され得る。後者のシナリオは、デュアルコネクティビティとも呼ばれる。
【０００４】
しかしながら、同じＣＮにアクセスするために、２つの異なる無線技術がサポートされるシナリオでは、アクセス制限の処理に関する問題があり得る。詳細には、たとえば、ある無線技術を使用するアクセスが拒否されるかまたは承認されるかのいずれかである、３ＧＰＰ  ＴＳ  ２３．２２１  Ｖ１４．１．０（２０１６−１２）に記載されているアクセス制限プロシージャが、不満足な結果をもたらし得る。たとえば、ＵＥのデータパフォーマンスを向上させるためにＬＴＥ  ＲＡＴとＮＲ  ＲＡＴとの併行使用がサポートされるシナリオでは、オペレータは、この特徴の利用を一部のサブスクライバのみのために許可することを望み得るが、他のサブスクライバにとって、アクセスが完全に拒否されるべきではない。
【０００５】
したがって、無線デバイスが無線通信ネットワークにアクセスするために２つの無線技術を併行して使用する状況に効率的に対処することを可能にする技法が必要である。
【発明の概要】
【０００６】
本発明の一実施形態によれば、無線通信ネットワークにおける無線送信を制御する方法が提供される。本方法によれば、無線通信ネットワークのノードが、無線通信ネットワークへの無線デバイスのコネクティビティを制御する。コネクティビティは、第１の無線技術と第２の無線技術との併行使用に基づく。無線デバイスに関連するサブスクリプションデータに依存して、ノードは、第１の無線技術および第２の無線技術のうちの１つのための無線デバイスの無線送信のスケジューリングの制限を制御する。
【０００７】
本発明のさらなる実施形態によれば、無線通信ネットワークにおける無線送信を制御する方法が提供される。本方法によれば、無線通信ネットワークのアクセスノードが、第１の無線技術および第２の無線技術のうちの少なくとも１つのための無線デバイスの無線送信をスケジュールする。無線デバイスは、第１の無線技術と第２の無線技術との併行使用に基づくコネクティビティを有する。アクセスノードは制御情報を受信する。制御情報に依存して、アクセスノードは、第１の無線技術および第２の無線技術のうちの１つのための無線デバイスの無線送信の前記スケジューリングの制限を制御する。
【０００８】
本発明のさらなる実施形態によれば、無線通信ネットワークのためのノードが提供される。ノードは、無線通信ネットワークへの無線デバイスのコネクティビティを制御するように設定される。コネクティビティは、第１の無線技術と第２の無線技術との併行使用に基づく。さらに、ノードは、無線デバイスに関連するサブスクリプションデータに依存して、第１の無線技術および第２の無線技術のうちの１つのための無線デバイスの無線送信のスケジューリングの制限を制御するように設定される。
【０００９】
本発明のさらなる実施形態によれば、無線通信ネットワークのためのアクセスノードが提供される。アクセスノードは、第１の無線技術および第２の無線技術のうちの少なくとも１つのために、第１の無線技術と第２の無線技術との併行使用に基づくコネクティビティを有する無線デバイスの無線送信をスケジュールするように設定される。さらに、アクセスノードは、制御情報を受信するように設定される。さらに、アクセスノードは、制御情報に依存して、第１の無線技術および第２の無線技術のうちの１つのための無線デバイスの無線送信の前記スケジューリングの制限を制御するように設定される。
【００１０】
本発明のさらなる実施形態によれば、無線通信ネットワークのノードの少なくとも１つのプロセッサによって実行されることになるプログラムコードを備える、コンピュータプログラムまたはコンピュータプログラム製品が、たとえば、非一時的記憶媒体の形態で提供される。プログラムコードの実行が、ノードに、無線通信ネットワークへの無線デバイスのコネクティビティを制御させる。コネクティビティは、第１の無線技術と第２の無線技術との併行使用に基づく。さらに、プログラムコードの実行は、ノードに、無線デバイスに関連するサブスクリプションデータに依存して、第１の無線技術および第２の無線技術のうちの１つのための無線デバイスの無線送信のスケジューリングの制限を制御させる。
【００１１】
本発明のさらなる実施形態によれば、無線通信ネットワークのアクセスノードの少なくとも１つのプロセッサによって実行されることになるプログラムコードを備える、コンピュータプログラムまたはコンピュータプログラム製品が、たとえば、非一時的記憶媒体の形態で提供される。プログラムコードの実行が、アクセスノードに、第１の無線技術および第２の無線技術のうちの少なくとも１つのために、第１の無線技術と第２の無線技術との併行使用に基づくコネクティビティを有する無線デバイスの無線送信をスケジュールさせる。さらに、プログラムコードの実行は、アクセスノードに、制御情報を受信させる。さらに、プログラムコードの実行は、アクセスノードに、制御情報に依存して、第１の無線技術および第２の無線技術のうちの１つのための無線デバイスの無線送信の前記スケジューリングの制限を制御させる。
【００１２】
そのような実施形態およびさらなる実施形態の詳細は、以下の発明を実施するための形態から明らかになろう。
【図面の簡単な説明】
【００１３】
【図１】本発明の一実施形態による、無線送信が制御されるシナリオを概略的に例示する図である。
【図２】本発明の一実施形態による、無線送信が制御されるさらなるシナリオを概略的に例示する図である。
【図３】本発明の一実施形態による、プロセスの一例を概略的に例示する図である。
【図４】本発明の一実施形態による、プロセスのさらなる例を概略的に例示する図である。
【図５】本発明の一実施形態による、プロセスのさらなる例を概略的に例示する図である。
【図６】本発明の一実施形態による、使用されるサブスクリプション情報を概略的に例示する図である。
【図７】本発明の一実施形態による、無線送信を制御する方法を例示するためのフローチャートである。
【図８】本発明の一実施形態による、ネットワークノードの機能を例示するためのブロック図である。
【図９】本発明の一実施形態による、無線送信を制御するさらなる方法を例示するためのフローチャートである。
【図１０】本発明の一実施形態による、ネットワークノードの機能を例示するためのブロック図である。
【図１１】本発明の一実施形態による、ネットワークノードの構造を概略的に例示する図である。
【図１２】本発明の一実施形態による、アクセスノードの構造を概略的に例示する図である。
【発明を実施するための形態】
【００１４】
以下では、添付の図面を参照することによって、本発明の実施形態による概念がより詳細に説明される。例示される概念は、無線通信ネットワークにおける無線送信の制御に関係する。詳細には、概念は、無線通信ネットワークへの無線デバイスのコネクティビティが２つの無線技術の併行使用に基づくシナリオに関係する。無線デバイスは、モバイルフォン、タブレットコンピュータ、ポータブルまたは固定パーソナルコンピュータ、マルチメディアまたはゲームデバイス、マシンツーマシン通信デバイスなど、様々なタイプのＵＥに対応し得る。以下で例示されるより具体的な例では、２つの無線技術が、ＬＴＥ  ＲＡＴおよびＮＲ  ＲＡＴに対応すると仮定され、ＬＴＥ  ＲＡＴおよびＮＲ  ＲＡＴは、（ＥＰＣとも呼ばれる）ＬＴＥ  ＣＮまたは（ＮＧＣＮとも呼ばれる）５Ｇ  ＣＮのいずれかにアクセスするために使用される。しかしながら、例示される概念はまた、第１の無線技術と第２の無線技術とが、第１の無線技術または第２の無線技術のいずれかのＣＮにアクセスするために併行して使用される、任意の他のシナリオに適用され得ることを理解されたい。その上、例示される概念は、ＵＥのコネクティビティが３つ以上の無線技術の併行使用に基づくシナリオにも適用され得ることを理解されたい。
【００１５】
以下に例示されている概念では、２つの無線技術に基づくコネクティビティは、これらの無線技術のうちの１つの制限をサポートする。ＵＥのためのサブスクリプションデータに基づいて、無線通信ネットワークのノード、一般にＣＮノードが、制限をアクティブ化すべきなのか、非アクティブ化すべきなのかを決定する。次いで、制限は、制限されるべき無線技術のためのスケジューリングを適応させることによって、ＲＡＮにおいて適用される。本明細書で使用される「スケジューリング」という用語は、たとえば、無線チャネルのための無線リソースを設定または予約することによって、および／あるいは個々の無線送信のための無線リソースを動的に割り当てることによって、無線送信のための無線リソースの割り当てを制御する様々なやり方をカバーすることが意図される。スケジューリングの制限は、詳細には、ユーザプレーンデータの無線送信に関係し得る。一方、少なくとも一部の制御プレーンデータのスケジューリングが、制限にかかわらず承認され得る。たとえば、無線通信ネットワーク内のＵＥのモビリティの管理に関係する制御プレーンデータのスケジューリング、あるいは無線通信ネットワークへのＵＥの登録またはアタッチメントに関係する制御プレーンデータのスケジューリングが、制限にかかわらず承認され得る。サブスクリプションデータに加えて、制限をアクティブ化すべきなのか、非アクティブ化すべきなのかの決定はまた、他の基準に依存し得る。たとえば、決定はまた、無線通信ネットワークのカバレッジエリア内のＵＥのロケーション、たとえば、ＵＥが位置すると現在仮定される、トラッキングエリア（ＴＡ）に関して表されるロケーションに依存し得る。次いで、ＣＮノードは、ＴＡに依存して制限がアクティブ化されるべきであるか否かを決定するために、ローカルポリシーを適用することができる。
【００１６】
図１は、上記で略述した概念が適用され得るシナリオを概略的に例示する。図１のシナリオは、ＵＥ１０が、ＬＴＥ  ＲＡＴとＮＲ  ＲＡＴとに基づくデュアルコネクティビティを有することと、ＵＥ１０が、ｅＮＢ（エボルブドノードＢ）とも呼ばれるＬＴＥアクセスノード１１０とＮＲアクセスノード１２０とを介してＥＰＣに接続されることとを仮定する。ｅＮＢ１１０とＮＲアクセスノード１２０とはまた、それらＬＴＥ  ＲＡＴとＮＲ  ＲＡＴとをサポートする１つのｅｘｅｓノードにおいて組み合わせられ得ることに留意されたい。さらに、図１は、ＥＰＣのノード、詳細には、ＳＧＷ（サービングゲートウェイ）１３０と、ＭＭＥ（モビリティ管理エンティティ）１５０と、ＨＳＳ（ホームサブスクライバサーバ）１８０とを例示する。ＳＧＷ１３０は、ＵＥ１０にまたはＵＥ１０からユーザプレーンデータを伝達することを担当する。ＭＭＥ１５０は、たとえば、無線通信ネットワークへのＵＥ１０のアタッチメントを制御することによって、無線通信ネットワークへのＵＥ１０のアクセスを管理することと、たとえば、異なるアクセスノード間のハンドオーバを制御することによって、無線通信ネットワーク内のＵＥ１０のモビリティを管理することとを担当する。ＨＳＳ１８０は、無線通信ネットワークのユーザのサブスクリプションデータを記憶および管理する、サブスクライバデータベースである。
【００１７】
デュアルコネクティビティに基づいて、ＵＥ１０は、ＬＴＥ  ＲＡＴとＮＲ  ＲＡＴとによってユーザプレーンデータと制御プレーンデータとを同時に伝達することによって、向上したデータパフォーマンスから恩恵を受け得る。ＮＲ  ＲＡＴの場合、ＥＰＣからＵＥ１０へのデータは、ｅＮＢ１１０によってＮＲアクセスノード１２０にフォワーディングされ、次いで、ＮＲ  ＲＡＴによってＵＥ１０に送信されるであろう。同様に、ＵＥ１０からのデータは、ＮＲアクセスノード１２０によってｅＮＢ１２０に、次いで、ＥＰＣにフォワーディングされるであろう。さらに、制御プレーンデータはまた、ｅＮＢ１１０とＵＥ１０との間でＬＴＥ  ＲＡＴを介して、またはＮＲアクセスノード１２０とＵＥ１０との間でＮＲ  ＲＡＴを介して、ローカルに交換され得る。
【００１８】
上述のように、ＵＥ１０と関連するサブスクリプションデータに基づいて、ＭＭＥ１５０は、ＵＥ１０のためのＮＲ  ＲＡＴの使用を制限することを決定し得る。たとえば、ＵＥ１０のユーザは、ＮＲデータ使用を除外するサブスクリプションを有し得、したがって、ＵＥ１０のためのサブスクリプションデータは、ＮＲが許可されないことを指示し得る。ＭＭＥ１５０は、ＨＳＳ１８０からＵＥ１０のためのサブスクリプションデータを取得し、ＮＲが許可されないという指示に基づいて、ＮＲ  ＲＡＴのためのスケジューリングの制限をアクティブ化することを決定し得る。ｅＮＢ１１０に制御情報を送ることによって、ＭＭＥ１５０は、ｅＮＢ１１０に制限のアクティブ化を指示し得、次いで、ｅＮＢ１１０は、ＮＲアクセスノード１２０に制限のアクティブ化を指示し得る。次いで、ＮＲアクセスノード１２０は、ＵＥ１０の無線送信のスケジューリングを制限することによって、制限を適用することになる。たとえば、これは、ＮＲ  ＲＡＴについて、無線リソースがＵＥ１０のユーザプレーン無線送信のために割り当てられないように、ＵＥ１０とＮＲアクセスノード１２０との間のＮＲ無線リンクのための対応するＲＲＣ設定を適用することを伴い得る。それにもかかわらず、ＮＲ  ＲＡＴに基づく制御プレーン無線送信は、たとえば、ＵＥ１０のためのモビリティプロシージャ、アタッチメントプロシージャ、または登録プロシージャをサポートするために依然として可能であり得る。
【００１９】
図２は、上記で略述した概念が適用され得るさらなるシナリオを概略的に例示する。図２のシナリオは、ＵＥ１０が、ＬＴＥ  ＲＡＴとＮＲ  ＲＡＴとに基づくデュアルコネクティビティを有することと、ＵＥ１０が、ｅＮＢ１１０とＮＲアクセスノード１２０とを介して５Ｇ  ＣＮに接続されることとを仮定する。ｅＮＢ１１０とＮＲアクセスノード１２０とはまた、それらＬＴＥ  ＲＡＴとＮＲ  ＲＡＴとをサポートする１つのｅｘｅｓノードにおいて組み合わせられ得ることに留意されたい。さらに、図２は、５Ｇ  ＣＮのノード、詳細には、ＵＰＦ（ユーザプレーン機能）１４０と、ＡＭＦ（アクセスおよびモビリティ管理機能）１６０と、ＵＤＭ（統合データ管理：Ｕｎｉｆｉｅｄ  Ｄａｔａ  Ｍａｎａｇｅｍｅｎｔ）１９０とを例示する。ＵＰＦ１４０は、ＵＥ１０にまたはＵＥ１０からユーザプレーンデータを伝達することを担当する。ＡＭＦ１６０は、たとえば、無線通信ネットワークへのＵＥ１０のアタッチメントを制御することによって、無線通信ネットワークへのＵＥ１０のアクセスを管理することと、たとえば、異なるアクセスノード間のハンドオーバを制御することによって、無線通信ネットワーク内のＵＥ１０のモビリティを管理することとを担当する。ＵＤＭ１９０は、無線通信ネットワークのユーザのサブスクリプションデータを記憶および管理する、サブスクライバデータベースである。
【００２０】
デュアルコネクティビティに基づいて、ＵＥ１０は、ＬＴＥ  ＲＡＴとＮＲ  ＲＡＴとによってユーザプレーンデータと制御プレーンデータとを同時に伝達することによって、向上したデータパフォーマンスから恩恵を受け得る。ＬＴＥ  ＲＡＴの場合、５Ｇ  ＣＮからＵＥ１０へのデータは、ＮＲアクセスノード１２０によってｅＮＢ１１０にフォワーディングされ、次いで、ＬＴＥ  ＲＡＴによってＵＥ１０に送信され得る。同様に、ＵＥ１０からのデータは、ｅＮＢ１１０によってＮＲアクセスノード１２０に、次いで、ＮＲ  ＲＡＴにフォワーディングされ得る。しかしながら、５Ｇ  ＣＮはまた、ｅＮＢ１１０への直接インターフェースをサポートし得る。図２は、ｅＮＢ１１０とＵＰＦ１４０との間の、およびｅＮＢ１１０とＡＭＦ１６０との間のそのような直接インターフェースを例示する。これらのインターフェースを使用して、ｅＮＢ１１０は、ＬＴＥ  ＲＡＴによって受信されたデータを５Ｇ  ＣＮにフォワーディングするか、または、ＬＴＥ  ＲＡＴによって送信されるべきデータを５Ｇ  ＣＮから受信し得る。さらに、制御プレーンデータはまた、ｅＮＢ１１０とＵＥ１０との間でＬＴＥ  ＲＡＴを介して、またはＮＲアクセスノード１２０とＵＥ１０との間でＮＲ  ＲＡＴを介して、ローカルに交換され得る。
【００２１】
上述のように、ＵＥ１０と関連するサブスクリプションデータに基づいて、ＡＭＦ１６０は、ＵＥ１０のためのＮＲ  ＲＡＴの使用を制限することを決定し得る。たとえば、ＵＥ１０のユーザは、ＮＲデータ使用を除外するサブスクリプションを有し得、したがって、ＵＥ１０のためのサブスクリプションデータは、ＮＲが許可されないことを指示し得る。ＡＭＦ１６０は、ＵＤＭ１９０からＵＥ１０のためのサブスクリプションデータを取得し、ＮＲが許可されないという指示に基づいて、ＮＲ  ＲＡＴのためのスケジューリングの制限をアクティブ化することを決定し得る。ＮＲアクセスノード１２０に制御情報を送ることによって、ＡＭＦ１６０は、ＮＲアクセスノード１２０に制限のアクティブ化を指示し得る。次いで、ＮＲアクセスノード１２０は、ＵＥ１０の無線送信のスケジューリングを制限することによって、制限を適用することになる。たとえば、これは、ＮＲ  ＲＡＴについて、無線リソースがＵＥ１０のユーザプレーン無線送信のために割り当てられないように、ＵＥ１０とＮＲアクセスノード１２０との間のＮＲ無線リンクのための対応するＲＲＣ設定を適用することを伴い得る。それにもかかわらず、ＮＲ  ＲＡＴに基づく制御プレーン無線送信は、たとえば、ＵＥ１０のためのモビリティプロシージャ、アタッチメントプロシージャ、または登録プロシージャをサポートするために依然として可能であり得る。
【００２２】
図３は、上記で説明された概念に基づく、例示的なプロセスを例示する。図３のプロセスは、図１に例示されているシナリオにおいて、ＵＥ１０の初期アタッチメントおよび登録を実施するために使用され得る。図３のプロセスは、３ＧＰＰ  ＴＳ  ２３．４０１  Ｖ１４．２．０（２０１６−１２）、セクション５．３．２．１において規定されているアタッチプロシージャに基づき、例示されるプロセスのさらなる詳細が本明細書において見つけられ得る。図３のプロセスは、たとえば、ＵＥ１０が無線通信ネットワークに最初にアタッチするとき、ＵＥ１０がアイドルモードにおいて新しいＴＡに変わるとき、またはＵＥ１０が、非アクティビティ期間後にＵＥ１０のネットワークステータスを更新する必要があるとき、実施され得る。
【００２３】
図３のプロセスでは、ＵＥ１０は、無線通信ネットワークに登録する必要があり、したがって、アタッチプロシージャを始動すると仮定される。例示されているように、ＵＥ１０は、ｅＮＢ１１０にアタッチ要求３０１を送ることによって、アタッチプロシージャを始動する。サポートされるデュアルコネクティビティにより、アタッチ要求３０１は、ＬＴＥ  ＲＡＴによって、またはＮＲ  ＲＡＴによって送られ得る。場合によっては、アタッチ要求３０１およびアタッチ要求３０１の処理は、３ＧＰＰ  ＴＳ  ２３．４０１  Ｖ１４．２．０、セクション５．３．２．１のアタッチプロシージャにおけるステップ１に関して説明されているようなものであり得る。
【００２４】
アタッチ要求３０１を受信すると、ｅＮＢ１１０は、ＭＭＥ１５０を選択し、メッセージ３０２によってアタッチ要求３０１をＭＭＥ１５０にフォワーディングする。メッセージ３０２およびメッセージ３０２の処理は、３ＧＰＰ  ＴＳ  ２３．４０１  Ｖ１４．２．０、セクション５．３．２．１のアタッチプロシージャにおけるステップ２のＳ１−ＭＭＥ制御メッセージに関して説明されているようなものであり得る。
【００２５】
次いで、ＭＭＥ１５０は、ＨＳＳ１８０とのロケーション更新プロシージャを実施することによって続け得る。例示されているように、これは、ＭＭＥ１５０が、ＨＳＳ１８０にロケーション更新要求３０３を送り、ＨＳＳ１８０が、ロケーション更新確認応答３０４でＭＭＥ１５０に応答することを伴う。ロケーション更新要求３０３およびロケーション更新要求３０３の処理は、３ＧＰＰ  ＴＳ  ２３．４０１  Ｖ１４．２．０、セクション５．３．２．１のアタッチプロシージャにおけるステップ８に関して説明されているようなものであり得る。ロケーション更新確認応答３０４は、ＵＥ１０のためのサブスクリプションデータを含む。サブスクリプションデータは、関係するサブスクライバについてＮＲが許可されるかどうかを指示する。さらに、サブスクリプションデータは、このサブスクライバについて、ＭＭＥ１５０が、ローカルポリシーに基づいてＮＲ  ＲＡＴの利用を制限することを許可されるかどうかをも指示し得る。場合によっては、ロケーション更新確認応答３０４およびロケーション更新確認応答３０４の処理は、３ＧＰＰ  ＴＳ  ２３．４０１  Ｖ１４．２．０、セクション５．３．２．１のアタッチプロシージャにおけるステップ１１に関して説明されているようなものであり得る。
【００２６】
図３の例では、受信されたサブスクリプションデータは、ＮＲが許可されないことを指示すると仮定される。したがって、ＭＭＥ１５０は、ブロック３０５によって例示されているように、受信されたサブスクリプションデータに基づいて、ＮＲ  ＲＡＴのためのスケジューリングの制限をアクティブ化することを決定する。ここで、ＭＭＥ１５０はまた、ＮＲ  ＲＡＴのためのスケジューリングの制限をアクティブ化すべきかどうかを決定するとき、他の基準を考慮し得ることに留意されたい。たとえば、そのような他の基準は、ＭＭＥ１５０において設定されたローカルポリシーによって規定され、ＵＥ１０のロケーションに、たとえば、ＵＥ１０が現在位置するＴＡに依存することができる。
【００２７】
ＭＭＥ１５０は、次いで、ｅＮＢ１１０に、制限のアクティブ化を指示する制御情報を送る。図３のプロセスでは、これは、ｅＮＢ１１０にアタッチ受付メッセージ３０６を送ることによって達成される。この目的で、アタッチ受付メッセージ３０６は、関係するサブスクライバについてＮＲが許可されるかどうかを指示し得る。場合によっては、アタッチ受付メッセージ３０６およびアタッチ受付メッセージ３０６の処理は、３ＧＰＰ  ＴＳ  ２３．４０１  Ｖ１４．２．０、セクション５．３．２．１のアタッチプロシージャにおけるステップ１７に関して説明されているようなものであり得る。
【００２８】
ブロック３０６の決定によれば、アタッチ受付メッセージ３０６は、本例ではＮＲが許可されないことを指示するであろう。本例では、ロケーション更新確認応答３０４とアタッチ受付メッセージ３０６の両方が、ＮＲが許可されないことを指示するが、ＮＲが許可されるかどうかの指示が、これらの２つのメッセージ間で異なるシナリオもあり得ることに留意されたい。たとえば、いくつかのシナリオでは、ロケーション更新確認応答３０４中のサブスクリプションデータは、ＮＲが許可されることを指示することができるが、それにもかかわらず、ＭＭＥ１５０は、ローカルポリシーに基づいて制限をアクティブ化することを決定することができる。
【００２９】
アタッチ受付メッセージ３０６とともに受信された制御情報に基づいて、ｅＮＢ１１０は、次いで、３０７によって例示されているように、制限を適用することになる。図１に例示されているように、ｅＮＢ１１０とＮＲアクセスノード１２０とが別個のノードであるとき、これは、ｅＮＢ１１０が、スケジューリングの制限を適用するようにＮＲアクセスノード１２０に命令することを伴い得る。ＮＲ  ＲＡＴが、ｅＮＢ１１０によって直接サポートされる場合、ｅＮＢ１１０自体が、スケジューリングの制限を適用し得る。
【００３０】
３０８によってさらに例示されているように、ｅＮＢ１１０は、ＬＴＥ  ＲＡＴおよびＮＲ  ＲＡＴに基づく無線接続をセットアップし得る。これは、スケジューリングのアクティブ化された制限を考慮に入れて、様々なＲＲＣ（無線リソース制御）プロシージャを実施することを伴い得る。これらのプロシージャでは、ＵＥ１０は、スケジューリングの制限について通知され得る。図１に例示されているように、ｅＮＢ１１０とＮＲアクセスノード１２０とが別個のノードであるとき、これは、ｅＮＢ１１０が、スケジューリングのアクティブ化された制限を考慮に入れて、ＮＲアクセスノード１２０によって実施されるＲＲＣプロシージャを制御することを伴い得る。いくつかのシナリオでは、制限はまた、ＲＲＣ接続がＮＲ  ＲＡＴのために確立されないという効果を有し得る。
【００３１】
図４は、上記で説明された概念に基づく、例示的なプロセスを例示する。図４のプロセスは、図２に例示されているシナリオにおいて、ＵＥ１０の登録を実施するために使用され得る。図４のプロセスは、３ＧＰＰ  ＴＳ  ２３．５０２  Ｖ０．１．１（２０１７−０１）、セクション４．２．２．２．２において記載されている登録プロシージャに基づき、例示されるプロセスのさらなる詳細が本明細書において見つけられ得る。図４のプロセスは、たとえば、ＵＥ１０が無線通信ネットワークに最初にアタッチするとき、ＵＥ１０がアイドルモードにおいて新しいＴＡに変わるとき、またはＵＥ１０が、非アクティビティ期間後にＵＥ１０のネットワークステータスを更新する必要があるとき、実施され得る。
【００３２】
図４のプロセスでは、ＵＥ１０は、無線通信ネットワークに登録する必要があり、したがって、登録プロシージャを始動すると仮定される。例示されているように、ＵＥ１０は、ＮＲアクセスノード（ＮＲ  ＡＮ）１２０に登録要求４０１を送ることによって、登録プロシージャを始動する。登録要求４０１および登録要求４０１の処理は、３ＧＰＰ  ＴＳ  ２３．５０２  Ｖ０．１．１、セクション４．２．２．２．２の登録プロシージャにおけるステップ１に関して説明されているようなものであり得る。
【００３３】
登録要求４０１を受信すると、ＮＲアクセスノード１２０は、ＡＭＦ１６０を選択し、メッセージ４０２によってアタッチ要求４０１をＡＭＦ１６０にフォワーディングする。メッセージ４０２およびメッセージ４０２の処理は、３ＧＰＰ  ＴＳ  ２３．５０２  Ｖ０．１．１、セクション４．２．２．２．２の登録プロシージャにおけるステップ３に関して説明されているようなものであり得る。
【００３４】
次いで、ＡＭＦ１６０は、ＵＤＭ１９０とのロケーション更新プロシージャを実施することによって続け得る。例示されているように、これは、ＡＭＦ１６０が、ＵＤＭ１９０にロケーション更新要求４０３を送り、ＵＤＭ１９０が、ロケーション更新確認応答４０４でＡＭＦ１６０に応答することを伴う。ロケーション更新プロシージャは、３ＧＰＰ  ＴＳ  ２３．５０２  Ｖ０．１．１、セクション４．２．２．２．２の登録プロシージャにおけるステップ１３に関して説明されているようなものであり得る。ロケーション更新確認応答４０４は、ＵＥ１０のためのサブスクリプションデータを含む。サブスクリプションデータは、関係するサブスクライバについてＮＲが許可されるかどうかを指示する。さらに、サブスクリプションデータは、このサブスクライバについて、ＡＭＦ１６０が、ローカルポリシーに基づいてＮＲ  ＲＡＴの利用を制限することを許可されるかどうかをも指示し得る。
【００３５】
図４の例では、受信されたサブスクリプションデータは、ＮＲが許可されないことを指示すると仮定される。したがって、ＡＭＦ１６０は、ブロック４０５によって例示されているように、受信されたサブスクリプションデータに基づいて、ＮＲ  ＲＡＴのためのスケジューリングの制限をアクティブ化することを決定する。ここで、ＡＭＦ１６０はまた、ＮＲ  ＲＡＴのためのスケジューリングの制限をアクティブ化すべきかどうかを決定するとき、他の基準を考慮し得ることに留意されたい。たとえば、そのような他の基準は、ＡＭＦ１６０において設定されたローカルポリシーによって規定され、ＵＥ１０のロケーションに、たとえば、ＵＥ１０が現在位置するＴＡに依存することができる。
【００３６】
ＡＭＦ１６０は、次いで、ＵＥ１０に登録受付メッセージ４０６を送り、ＵＥ１０は、ＡＭＦ１６０に登録完了メッセージ４０７を送ることによって登録の完了を確認する。登録受付メッセージ４０６によって、ＡＭＦ１６０はまた、ＵＥ１０にスケジューリングの制限について通知し得る。場合によっては、登録受付メッセージ４０６、および登録完了メッセージ４０７、および登録受付メッセージ４０６と登録完了メッセージ４０７との処理は、３ＧＰＰ  ＴＳ  ２３．５０２  Ｖ０．１．１、セクション４．２．２．２．２におけるステップ２１および２２に関して説明されているようなものであり得る。
【００３７】
図５は、上記で説明された概念に基づく、例示的なプロセスを例示する。図５のプロセスは、図２に例示されているシナリオにおいて、ＵＥ１０とＡＭＦ１６０との間のセキュア接続を確立するために使用され得る。図５のプロセスは、３ＧＰＰ  ＴＳ  ２３．５０２  Ｖ０．１．１、セクション４．２．３．２において記載されているサービス要求プロシージャに基づき、例示されるプロセスのさらなる詳細が本明細書において見つけられ得る。図５のプロセスは、たとえば、ＵＥ１０がアイドルモードにあり、ユーザプレーンデータおよび／または制御プレーンデータを送る必要があるとき、実施され得る。図５の例では、ＵＥ１０は、たとえば、図４のプロセスを実施することによって、無線通信ネットワークにおいてすでに登録したと仮定される。
【００３８】
図５のプロセスでは、ＵＥ１０は、ＮＲ  ＡＮ１２０にサービス要求５０１を送ることによって、ＵＥ１０とＡＭＦ１６０との間のセキュア接続の確立を始動する。サービス要求は、ＮＡＳ（非アクセス層）メッセージであり、メッセージ５０２によってＡＭＦ１６０にフォワーディングされる。サービス要求５０１、およびメッセージ５０２、およびサービス要求５０１とメッセージ５０２との処理は、３ＧＰＰ  ＴＳ  ２３．５０２  Ｖ０．１．１、セクション４．２．３．２におけるステップ１および２に関して説明されているようなものであり得る。
【００３９】
ブロック５０３によってさらに例示されているように、ＡＭＦ１６０は、スケジューリングの制限をアクティブ化する。これは、たとえば、図４のプロセスに関して説明されたように、前に受信されたサブスクリプションデータに基づいて達成され得る。図５の例では、サブスクリプションデータは、ＮＲが許可されないことを指示すると仮定される。したがって、ＡＭＦ１６０は、受信されたサブスクリプションデータに基づいて、ＮＲ  ＲＡＴのためのスケジューリングの制限をアクティブ化することを決定する。ここで、ＡＭＦ１６０はまた、ＮＲ  ＲＡＴのためのスケジューリングの制限をアクティブ化すべきかどうかを決定するとき、他の基準を考慮し得ることに留意されたい。たとえば、そのような他の基準は、ＡＭＦ１６０において設定されたローカルポリシーによって規定され、ＵＥ１０のロケーションに、たとえば、ＵＥ１０が現在位置するＴＡに依存することができる。
【００４０】
ＡＭＦ１６０は、次いで、ＮＲ  ＡＮ１２０に、制限のアクティブ化を指示する制御情報を送る。図５のプロセスでは、これは、ＮＲ  ＡＮ１２０にコンテキストセットアップ要求５０４を送ることによって達成される。この目的で、コンテキストセットアップ要求５０４は、関係するサブスクライバについてＮＲが許可されるかどうかを指示し得る。場合によっては、コンテキストセットアップ要求５０４およびコンテキストセットアップ要求５０４の処理は、３ＧＰＰ  ＴＳ  ２３．５０２  Ｖ０．１．１、セクション４．２．３．２のアタッチプロシージャにおけるステップ５に関してＮ２要求について説明されているようなものであり得る。
【００４１】
ブロック５０３の決定によれば、コンテキストセットアップ要求５０４は、本例ではＮＲが許可されないことを指示するであろう。本例では、サブスクリプションデータとコンテキストセットアップ要求５０４の両方が、ＮＲが許可されないことを指示するが、コンテキストセットアップ要求５０４中で与えられる、ＮＲが許可されるかどうかの指示が、サブスクリプションデータ中の指示とは異なるシナリオでもあり得ることに留意されたい。たとえば、いくつかのシナリオでは、サブスクリプションデータは、ＮＲが許可されることを指示することができるが、それにもかかわらず、ＡＭＦ１６０は、ローカルポリシーに基づいて制限をアクティブ化することを決定することができる。
【００４２】
コンテキストセットアップ要求５０４とともに受信された制御情報に基づいて、ＮＲ  ＡＮ１２０は、次いで、５０５によって例示されているように、制限を適用することになる。これは、ＲＲＣ接続再設定プロシージャ５０６によって例示されているように、ＮＲ  ＡＮ１２０とＵＥ１０との間のＲＲＣ接続の再設定を伴い得る。ＲＲＣ接続再設定プロシージャ５０６では、ＵＥ１０をスケジュールするアクティブ化された制限は、たとえば、ユーザプレーンデータの送信のための無線リソースを設定または予約しないことよって、適用される。さらに、ＲＲＣ接続再設定プロシージャ５０６はまた、ＵＥ１０にスケジューリングの制限について通知するために使用され得る。いくつかのシナリオでは、制限はまた、ＲＲＣ接続がＮＲ  ＲＡＴのために確立されない、またはＮＲ  ＲＡＴのための既存のＲＲＣ接続が解放されるという効果を有し得る。
【００４３】
上記で説明された例では、ＮＲ  ＲＡＴのためのスケジューリングが制限されたが、ＬＴＥ  ＲＡＴのためのスケジューリングを制限するためにも、同様のプロセスが使用され得ることを理解されたい。
【００４４】
図６は、本明細書において例示されている概念において使用され得る、データエレメント６００を概略的に例示する。たとえば、図６のデータエレメントは、ＨＳＳ１８０またはＵＤＭ１９０など、サブスクライバデータベース、あるいはＨＳＳ１８０の機能とＵＤＭ１９０の機能とを組み合わせるサブスクライバデータベース中で維持される、ＵＥ１０のためのサブスクライバデータレコードに記憶され得る。図６のデータエレメント６００は、属性値ペア（ＡＶＰ：ａｔｔｒｉｂｕｔｅ  ｖａｌｕｅ  ｐａｉｒ）中で、たとえば、ロケーション更新確認応答３０４中で、アタッチ受付メッセージ３０６中で、接続セットアッププロシージャのメッセージ３０８中で、ロケーション更新確認応答４０４中で、登録受付メッセージ４０６中で、ＵＥコンテキストセットアップメッセージ５０４中で、またはＲＲＣ接続再設定プロシージャのメッセージ５０６中で送信され得る。
【００４５】
例示されているように、データエレメント６００は、マルチビット値として編成される。値の各ビットが、ある無線技術またはアクセス変形態に割り振られ、あるビットをセットすることが、対応する無線技術またはアクセス変形態がサブスクライバについて許可されないことを指示する。３ＧＰＰ  ＴＳ  ２９．２７２  Ｖ１４．２．０（２０１６−１２）に記載されているアクセス制限データＡＶＰと同様に、ビット０〜６は、以下の無線技術およびアクセス変形態、すなわち、ＵＴＲＡＮ（ＵＭＴＳ地上無線アクセスネットワーク）、ＧＥＲＡＮ（ＧＳＭ  ＥＤＧＥ無線アクセスネットワーク）、ＧＡＮ（ジェネリックアクセスネットワーク）、Ｉ−ＨＳＰＡ  Ｅｖｏｌｕｔｉｏｎ（インターネット高速パケットアクセスエボリューション）、ＷＢ−Ｅ−ＵＴＲＡＮ（広帯域エボルブドＵＴＲＡＮ）、ＨＯ−Ｔｏ−Ｎｏｎ−３ＧＰＰ−Ａｃｃｅｓｓ（非３ＧＰＰアクセスへのハンドオーバ）、ＮＢ−ＩｏＴ（狭帯域モノのインターネット）に関係する。さらに、ビット７はＮＲ  ＲＡＴに関係する。上記で説明された例では、データエレメント６００のビット７は、ＮＲ  ＲＡＴのためのスケジューリングの制限がアクティブ化されるべきであるかどうかを指示するために使用されるであろう。ビット４は、ＮＲ  ＲＡＴのためのスケジューリングの制限がアクティブ化されるべきであることを指示するために使用され得る。
【００４６】
図７は、無線通信ネットワークにおける無線送信を制御する方法を例示するためのフローチャートを示す。図７の方法は、無線通信ネットワークのノード、特に、上述のＭＭＥ１５０またはＡＭＦ１６０など、無線通信ネットワークにおけるアクセスおよびモビリティを管理することを担当するノードにおいて、例示される概念を実装するために利用され得る。ノードのプロセッサベース実装形態が使用される場合、本方法のステップはノードの１つまたは複数のプロセッサによって実施され得る。そのような場合、ノードは、以下で説明される機能を実装するためのプログラムコードが記憶されたメモリをさらに備え得る。
【００４７】
ステップ７１０において、ノードは、無線通信ネットワークへの、上述のＵＥ１０など、無線デバイスのコネクティビティを制御する。コネクティビティは、第１の無線技術と第２の無線技術との併行使用に基づく。いくつかのシナリオでは、第１の無線技術はＬＴＥ  ＲＡＴであり、第２の無線技術はＮＲ  ＲＡＴである。しかしながら、無線技術の他の組合せが同様に考慮され得ることに留意されたい。コネクティビティを制御することは、たとえば、たとえば、無線デバイスとの登録プロシージャを実施することによる、無線通信ネットワークへの無線デバイスのアクセスの管理、または、たとえば、無線通信ネットワークの異なるアクセスノード間の無線デバイスのハンドオーバを制御することによる、無線通信ネットワーク内の無線デバイスのモビリティの管理を伴い得る。
【００４８】
ステップ７２０において、ノードは、無線デバイスに関連するサブスクリプションデータを受信し得る。たとえば、ノードは、上述のＨＳＳ１８０またはＵＤＭ１９０など、サブスクライバデータベースからサブスクリプションデータを受信し得る。サブスクリプションデータは、たとえば、図６に例示されているデータエレメント中で受信される。
【００４９】
ステップ７３０において、ノードは、第１の無線技術および第２の無線技術のうちの１つのための無線デバイスの無線送信のスケジューリングの制限を制御する。たとえば、制限は、無線送信のための無線リソースの割り当てまたは予約に影響を及ぼし得る。ノードは、たとえば、ステップ７２０において受信された、無線デバイスに関連するサブスクリプションデータに依存して、制限を制御する。
【００５０】
スケジューリングの制限は、ユーザプレーンデータをもつ無線送信のスケジューリングを阻止し得る。いくつかのシナリオでは、スケジューリングの制限は、ユーザプレーンデータをもつ無線送信のスケジューリングを阻止するが、無線通信ネットワークにおける無線デバイスのモビリティ管理に関係する制御プレーンデータまたは無線デバイスの登録に関係する制御プレーンデータなど、制御プレーンデータをもつ無線送信のスケジューリングを承認し得る。
【００５１】
第１の無線技術および第２の無線技術のうちの１つが許可されないことをサブスクリプションデータが指示したことに応答して、ノードは、この無線技術のためのスケジューリングの制限をアクティブ化し得る。第１の無線技術および第２の無線技術のうちの１つが許可されることをサブスクリプションデータが指示したことに応答して、ノードは、この無線技術のためのスケジューリングの制限を非アクティブ化し得る。
【００５２】
いくつかのシナリオでは、制限をアクティブ化すべきなのか、非アクティブ化すべきなのかの決定は、たとえば、ノードにおいて設定されたローカルポリシーによって規定される、１つまたは複数の追加の基準に依存し得る。たとえば、ノードは、さらに、無線通信ネットワークのカバレッジエリア内の無線デバイスのロケーションに依存して、制限を制御し得る。ロケーションは、たとえば、ＴＡ、ルーティングエリア（ＲＡ）、またはロケーションエリア（ＬＡ）など、無線通信ネットワークのカバレッジエリア内のあるサブエリアに関して表され得る。
【００５３】
ノードは、上述のアクセスノード１１０、１２０のうちの１つなど、無線デバイスの無線送信の前記スケジューリングを担当するアクセスノードに、制御情報を送ることによって、スケジューリングの制限を制御し得る。したがって、制限は、無線通信ネットワークのＲＡＮ部分内で適用され得る。制御情報は、サブスクライバ固有であり得る。
【００５４】
図８は、図７の方法に従って動作するネットワークノード８００の機能を例示するためのブロック図を示す。例示されているように、ネットワークノード８００は、ステップ７１０に関して説明されたような、無線デバイスのコネクティビティを制御するように設定されたモジュール８１０を随意に与えられ得る。さらに、ネットワークノード８００は、ステップ７２０に関して説明されたような、サブスクリプションデータを受信するように設定されたモジュール８２０を与えられ得る。さらに、ネットワークノード８００は、ステップ７３０に関して説明されたような、スケジューリングの制限を制御するように設定されたモジュール８３０を与えられ得る。
【００５５】
ネットワークノード８００が、ＭＭＥまたはＡＭＦの知られている機能など、他の機能を実装するためのさらなるモジュールを含み得ることに留意されたい。さらに、ネットワークノード８００のモジュールは、必ずしもネットワークノード８００のハードウェア構造を表すとは限らないが、たとえば、ハードウェア、ソフトウェア、またはそれらの組合せによって実装される、機能エレメントにも対応し得ることに留意されたい。
【００５６】
図９は、無線通信ネットワークにおける無線送信を制御する方法を例示するためのフローチャートを示す。図９の方法は、上述のアクセスノード１１０、１２０のうちの１つなど、無線通信ネットワークのアクセスノードにおいて、例示される概念を実装するために利用され得る。ノードのプロセッサベース実装形態が使用される場合、本方法のステップはアクセスノードの１つまたは複数のプロセッサによって実施され得る。そのような場合、アクセスノードは、以下で説明される機能を実装するためのプログラムコードが記憶されたメモリをさらに備え得る。
【００５７】
ステップ９１０において、アクセスノードは、無線デバイスの無線送信をスケジュールする。無線デバイスは、第１の無線技術と第２の無線技術との併行使用に基づくコネクティビティを有すると仮定される。いくつかのシナリオでは、第１の無線技術はＬＴＥ  ＲＡＴであり、第２の無線技術はＮＲ  ＲＡＴである。しかしながら、無線技術の他の組合せが同様に考慮され得ることに留意されたい。アクセスノードは、第１の無線技術および第２の無線技術のうちの少なくとも１つのための無線送信をスケジュールする。いくつかのシナリオでは、アクセスノードは、第１の無線技術と第２の無線技術の両方をサポートし得、第１の無線技術と第２の無線技術の両方のための無線送信をスケジュールし得る。これは、たとえば、アクセスノードが、図１および図２に例示されているようにｅＮＢ１１０の機能とＮＲアクセスノード１２０の機能とを組み合わせる場合、当てはまり得る。
【００５８】
ステップ９２０において、アクセスノードは制御情報を受信する。アクセスノードは、ノードから制御情報を受信し得、ノードは、無線通信ネットワークへの無線デバイスのアクセス、および／または無線通信ネットワークにおける無線デバイスのモビリティを管理することを担当する。そのようなノードの例は、上述のＭＭＥ１５０およびＡＭＦ１６０である。
【００５９】
制御情報は、無線デバイスに関連するサブスクリプションデータに依存し得る。言い換えれば、制御情報は、サブスクライバ固有であり得る。いくつかのシナリオでは、制御情報は、さらに、無線通信ネットワークのカバレッジエリア内の無線デバイスのロケーションに依存し得る。
【００６０】
ステップ９３０において、アクセスノードは、第１の無線技術および第２の無線技術のうちの１つのための無線デバイスの無線送信のスケジューリングの制限を制御する。これは、ステップ９２０において受信された制御情報に依存して達成される。アクセスノードが第１の無線技術および第２の無線技術のうちの１つのみをサポートし、制限が第１の無線技術および第２の無線技術のうちの他の１つに適用される場合、アクセスノードは、第１の無線技術および第２の無線技術のうちのこの他の１つのための無線送信のスケジューリングを担当する別のアクセスノードに、さらなる制御情報を送ることによって、スケジューリングの制限を制御し得る。他の場合、アクセスノードは、アクセスノード自体によって実施されるスケジューリングによって、制限を適用し得る。
【００６１】
スケジューリングの制限は、ユーザプレーンデータをもつ無線送信のスケジューリングを阻止し得る。いくつかのシナリオでは、スケジューリングの制限は、ユーザプレーンデータをもつ無線送信のスケジューリングを阻止するが、無線通信ネットワークにおける無線デバイスのモビリティ管理に関係する制御プレーンデータまたは無線デバイスの登録に関係する制御プレーンデータなど、制御プレーンデータをもつ無線送信のスケジューリングを承認し得る。
【００６２】
第１の無線技術および第２の無線技術のうちの１つが許可されないことを制御情報が指示したことに応答して、アクセスノードは、この無線技術のためのスケジューリングの制限をアクティブ化し得る。第１の無線技術および第２の無線技術のうちの前記１つが許可されることを制御情報が指示したことに応答して、アクセスノードは、この無線技術のためのスケジューリングの制限を非アクティブ化し得る（またはアクティブ化しないことがある）。
【００６３】
図１０は、図９の方法に従って動作するアクセスノード１０００の機能を例示するためのブロック図を示す。例示されているように、アクセスノード１０００は、ステップ９１０に関して説明されたような、無線送信をスケジュールするように設定されたモジュール１０１０を与えられ得る。さらに、アクセスノード１０００は、ステップ９２０に関して説明されたような、制御情報を受信するように設定されたモジュール１０２０を与えられ得る。さらに、ネットワークノード１０００は、ステップ９３０に関して説明されたような、スケジューリングの制限を制御するように設定されたモジュール１０３０を与えられ得る。
【００６４】
アクセスノード１０００が、ｅＮＢまたはＮＲアクセスノードの知られている機能など、他の機能を実装するためのさらなるモジュールを含み得ることに留意されたい。さらに、アクセスノード１０００のモジュールは必ずしも、アクセスノード１０００のハードウェア構造を表すとは限らないが、たとえば、ハードウェア、ソフトウェア、またはそれらの組合せによって実装される、機能エレメントにも対応し得ることに留意されたい。
【００６５】
さらに、例示される概念はまた、図７の方法に従って動作するノードと図９の方法に従って動作するアクセスノードとを含むシステムにおいて実装され得ることに留意されたい。この場合、上述のノードは、ステップ７３０の制御プロシージャにおいて制御情報を決定し、アクセスノードに制御情報を与えることができ、アクセスノードは、次いで、スケジューリングの制限を適用することができる。
【００６６】
図１１は、上記で説明された概念を実装するために使用され得る、ネットワークノード１１００のプロセッサベース実装形態を例示する。ネットワークノード１１００は、たとえば、上述のＭＭＥ１５０またはＡＭＦ１６０など、無線通信ネットワークにおけるアクセスまたはモビリティを管理することを担当するノードに対応し得る。
【００６７】
例示されているように、ネットワークノード１１００はインターフェース１１１０を含む。インターフェース１１１０は、たとえば、上述のＨＳＳ１８０またはＵＤＭ１９０など、サブスクライバデータベースから、サブスクリプションデータを受信するために使用され得る。さらに、インターフェース１１１０は、たとえば、上述のアクセスノード１１０または１２０など、アクセスノードに、制御情報を送るために使用され得る。いくつかのシナリオでは、サブスクリプションデータを受信することおよび制御情報の送信のために、個別のインターフェースも使用され得ることに留意されたい。
【００６８】
さらに、ネットワークノード１１００は、インターフェース１１１０に結合された１つまたは複数のプロセッサ１１５０と、（１つまたは複数の）プロセッサ１１５０に結合されたメモリ１１６０とを含み得る。例として、インターフェース１１１０、（１つまたは複数の）プロセッサ１１５０、およびメモリ１１６０は、ネットワークノード１１００の１つまたは複数の内部バスシステムによって結合され得る。メモリ１１６０は、読取り専用メモリ（ＲＯＭ）、たとえば、フラッシュＲＯＭ、ランダムアクセスメモリ（ＲＡＭ）、たとえば、ダイナミックＲＡＭ（ＤＲＡＭ）またはスタティックＲＡＭ（ＳＲＡＭ）、大容量ストレージ、たとえば、ハードディスクまたはソリッドステートディスクなどを含み得る。例示されているように、メモリ１１６０は、ソフトウェア１１７０、ファームウェア１１８０、および／または制御パラメータ１１９０を含み得る。メモリ１１６０は、図７に関して説明されたような、ネットワークノードの上記で説明された機能を実装するように、（１つまたは複数の）プロセッサ１１５０によって実行されるべき適切に設定されたプログラムコードを含み得る。
【００６９】
図１１に例示されている構造は概略にすぎないこと、およびネットワークノード１１００は、明快のために、例示されていない、さらなる構成要素、たとえば、さらなるインターフェースまたはプロセッサを実際に含み得ることを理解されたい。また、メモリ１１６０は、ネットワークノードの知られている機能、たとえば、ＭＭＥまたはＡＭＦの知られている機能を実装するためのさらなるプログラムコードを含み得ることを理解されたい。いくつかの実施形態によれば、コンピュータプログラムがまた、たとえば、メモリ１１６０に記憶されるべきプログラムコードおよび／または他のデータを記憶する物理媒体の形態で、あるいはプログラムコードをダウンロードのためにまたはストリーミングによって利用可能にすることによって、ネットワークノード１１００の機能を実装するために与えられ得る。
【００７０】
図１２は、上記で説明された概念を実装するために使用され得る、アクセスノード１２００のプロセッサベース実装形態を例示する。アクセスノード１２００は、たとえば、上述のｅＮＢ１１０またはＮＲアクセスノード１２０に対応し得る。
【００７１】
例示されているように、アクセスノード１２００は無線インターフェース１２１０を含む。無線通信ネットワークへの、上述のＵＥ１０など、無線デバイスのコネクティビティを与えるための無線インターフェース１２１０。無線インターフェース１２１０は、上述のＬＴＥ  ＲＡＴおよびＮＲ  ＲＡＴなど、複数の無線技術をサポートし得る。しかしながら、いくつかのシナリオでは、無線インターフェースはまた、１つの無線技術のみをサポートすることができる。さらに例示されているように、アクセスノード１２００はネットワークインターフェース１２２０を含む。ネットワークインターフェース１２２０は、たとえば、上述のＭＭＥ１５０またはＡＭＦ１６０など、無線通信ネットワークへのアクセスおよび／または無線通信ネットワークにおけるモビリティを管理することを担当するノードから、制御情報を受信するために使用され得る。
【００７２】
さらに、アクセスノード１２００は、インターフェース１２１０、１２２０に結合された１つまたは複数のプロセッサ１２５０と、（１つまたは複数の）プロセッサ１２５０に結合されたメモリ１２６０とを含み得る。例として、インターフェース１２１０、１２２０、（１つまたは複数の）プロセッサ１２５０、およびメモリ１２６０は、アクセスノード１２００の１つまたは複数の内部バスシステムによって結合され得る。メモリ１２６０は、ＲＯＭ、たとえば、フラッシュＲＯＭ、ＲＡＭ、たとえば、ＤＲＡＭまたはＳＲＡＭ、大容量ストレージ、たとえば、ハードディスクまたはソリッドステートディスクなどを含み得る。例示されているように、メモリ１２６０は、ソフトウェア１２７０、ファームウェア１２８０、および／または制御パラメータ１２９０を含み得る。メモリ１２６０は、図９に関して説明されたような、アクセスノードの上記で説明された機能を実装するように、（１つまたは複数の）プロセッサ１２５０によって実行されるべき適切に設定されたプログラムコードを含み得る。
【００７３】
図１２に例示されている構造は概略にすぎないこと、およびアクセスノード１２００は、明快のために、例示されていない、さらなる構成要素、たとえば、さらなるインターフェースまたはプロセッサを実際に含み得ることを理解されたい。また、メモリ１２６０は、アクセスノードの知られている機能、たとえば、ｅＮＢまたはＮＲアクセスノードの知られている機能を実装するためのさらなるプログラムコードを含み得ることを理解されたい。いくつかの実施形態によれば、コンピュータプログラムがまた、たとえば、メモリ１２６０に記憶されるべきプログラムコードおよび／または他のデータを記憶する物理媒体の形態で、あるいはプログラムコードをダウンロードのためにまたはストリーミングによって利用可能にすることによって、アクセスノード１２００の機能を実装するために与えられ得る。
【００７４】
わかるように、上記で説明された概念は、２つまたはそれ以上無線技術の併行使用に基づくコネクティビティの利用を効率的に制御するために使用され得る。詳細には、そのような特徴の利用は、サブスクリプション固有様式で制御され得る。さらに、ある無線技術の利用は、この無線技術のためのアクセス試行を拒否する必要なしに、制限され得る。
【００７５】
上記で説明された例および実施形態は例示的にすぎず、様々な変更の余地があることを理解されたい。たとえば、例示された概念は、ＬＴＥ  ＲＡＴおよびＮＲ  ＲＡＴの上述の例に限定されない、様々な種類の無線技術に関して適用され得る。さらに、ノード間で情報を伝達するために様々な種類のメッセージまたはプロトコルが使用され得ることに留意されたい。その上、上記の概念は、既存のデバイスの１つまたは複数のプロセッサによって実行されるべき、対応して設計されたソフトウェアを使用することによって、または専用デバイスハードウェアを使用することによって実装され得ることを理解されたい。さらに、例示されたノードまたはデバイスは、各々、単一のデバイスとして、または複数の相互作用デバイスのシステムとして実装され得ることに留意されたい。
【図１】
0006841922.tif 000002
【図２】
0006841922.tif 000003
【図３】
0006841922.tif 000004
【図４】
0006841922.tif 000005
【図５】
0006841922.tif 000006
【図６】
0006841922.tif 000007
【図７】
0006841922.tif 000008
【図８】
0006841922.tif 000009
【図９】
0006841922.tif 000010
【図１０】
0006841922.tif 000011
【図１１】
0006841922.tif 000012
【図１２】
0006841922.tif 000013